(57)【要約】【課題】本発明の目的は、搬送体の粘着性表面に貼り付いて搬送される被記録媒体を容易に剥がせるようにすることにある。【解決手段】本発明の記録装置は、被記録媒体Ｐに記録する記録ヘッド１と、前記被記録媒体Ｐを粘着性表面３に剥がし可能に貼り付けて搬送する搬送体４と、前記被記録媒体Ｐの搬送方向Ａにおいて、前記記録ヘッド３より下流の前記粘着性表面３を冷却する冷却部６とを備える。前記冷却部は送風機７である。前記剥がれる部位５より前記搬送方向Ａにおいて上流側の前記被記録媒体Ｐに風をあてる送風機７を備える。【選択図】図１
2015077697.tif 000002
【特許請求の範囲】
【請求項１】
被記録媒体に記録する記録ヘッドと、
前記被記録媒体を粘着性表面に剥がし可能に貼り付けて搬送する搬送体と、
前記被記録媒体の搬送方向において、前記記録ヘッドより下流の前記粘着性表面を冷却する冷却部と、を備えることを特徴とする記録装置。
【請求項２】
請求項１に記載の記録装置において、
前記冷却部は送風機を備えることを特徴とする記録装置。
【請求項３】
請求項１又は２に記載の記録装置において、
前記冷却部として、前記被記録媒体が前記粘着性表面から剥がれる部位より前記搬送方向において上流側の前記被記録媒体に風をあてる送風機を備える、ことを特徴とする記録装置。
【請求項４】
請求項１から３のいずれか一項に記載の記録装置において、
前記冷却部として、前記被記録媒体が前記粘着性表面から剥がれる部位より前記搬送方向おいて下流側の前記粘着性表面に風をあてる送風機を備える、ことを特徴とする記録装置。
【請求項５】
請求項１から４のいずれか一項に記載の記録装置において、
前記冷却部として、前記搬送体の回転移動を作るローラーのうち前記搬送方向における下流側のローラーに風をあてる送風機を備える、ことを特徴とする記録装置。
【請求項６】
請求項１から５のいずれか一項に記載の記録装置において、
前記搬送体の回転移動を作るローラーのうち前記搬送方向における下流側のローラーが冷却用ローラーを兼ねている、ことを特徴とする記録装置。
【請求項７】
請求項１から６のいずれか一項に記載の記録装置において、
前記冷却部は、冷却の程度を調整可能である、ことを特徴とする記録装置。
【請求項８】
請求項１から７のいずれか一項に記載の記録装置において、
前記被記録媒体を前記粘着性表面に貼り付ける部位を加熱する加熱部を備えることを特徴とする記録装置。
【請求項９】
請求項８に記載の記録装置において、
前記貼り付ける部位に設けられる貼り付け用ローラーが前記加熱部を兼ねることを特徴とする記録装置。
【発明の詳細な説明】
【技術分野】
【０００１】
本発明は、被記録媒体に記録する記録ヘッドと、前記被記録媒体を粘着性表面に剥がし可能に貼り付けて搬送する搬送体と、を備える記録装置に関するものである。
【背景技術】
【０００２】
この種従来技術として特許文献１に記載された捺染機を挙げることができる。この文献には、前記捺染機の構成要素である無端ベルト状の搬送体をその下面側から面状発熱体によって加熱することの記載がある。
【先行技術文献】
【特許文献】
【０００３】
【特許文献１】特開平６−２４０５８９号公報
【発明の概要】
【発明が解決しようとする課題】
【０００４】
しかしながら、特許文献１には、搬送体を積極的に冷却することについては記載も示唆もない。搬送体の粘着性表面に貼り付いた被記録媒体は高温になると剥がれにくくなり、無理に剥がすと被記録媒体を傷める他、記録品質も低下し、また粘着性表面を劣化させる問題等が生じるが、このような問題は全く考慮されていない。
【０００５】
本発明の目的は、搬送体の粘着性表面に貼り付いて搬送される被記録媒体を容易に剥がせるようにすることにある。
【課題を解決するための手段】
【０００６】
上記課題を解決するための本発明の第１の態様の記録装置は、被記録媒体に記録する記録ヘッドと、前記被記録媒体を粘着性表面に剥がし可能に貼り付けて搬送する搬送体と、前記被記録媒体の搬送方向において、前記記録ヘッドより下流の前記粘着性表面を冷却する冷却部とを備える。
【０００７】
粘着性表面に貼り付いた被記録媒体を剥がす際の剥がし易さは、高温ほど剥がしにくく、低温ほど剥がし易くなる。  
本態様によれば、冷却部によって前記被記録媒体の搬送方向において、前記記録ヘッドより下流の前記粘着性表面を冷却するので、記録ヘッドにより記録が行われた後の被記録媒体が粘着性表面から剥がしやすくなり、無理に剥がすと被記録媒体を傷める等の問題を生じにくくすることができる。  
また、記録ヘッドより上流は冷却しないので、被記録媒体への記録がおこなわれるまでは、被記録媒体はしっかりと粘着性表面に貼り付いた状態を維持することができる。即ち、被記録媒体が粘着性表面にしっかりと貼り付いているべきとき（記録中）はその状態を確保し、被記録媒体を粘着性表面から剥がすときは剥がしやすい状態に変えることができる。
【０００８】
本発明の第２の態様の記録装置は、第１の態様において、前記冷却部は送風機を備えることを特徴とする。  
本態様によれば、前記冷却部は送風機を備えるので、前記記録ヘッドより下流の前記粘着性表面を冷却するに際して構造簡単にして且つ効果的に冷却することができる。
【０００９】
本発明の第３の態様の記録装置は、第１の態様又は第２の態様において、前記冷却部として、前記被記録媒体が前記粘着性表面から剥がれる部位より前記搬送方向において上流側の前記被記録媒体に風をあてる送風機を備える、ことを特徴とする。  
本態様によれば、前記被記録媒体が前記粘着性表面から剥がれる部位より前記搬送方向において上流側の前記被記録媒体に風をあてるので、吐出されたインクの溶媒の蒸発を促進して定着性を高められるのと同時に、被記録媒体が貼り付いている粘着性表面も効率的に冷却されて剥がれやすい状態に変えることができる。
【００１０】
本発明の第４の態様の記録装置は、第１の態様から第３の態様のいずれか一つの態様において、前記冷却部として、前記被記録媒体が前記粘着性表面から剥がれる部位より前記搬送方向において下流側の前記粘着性表面に風をあてる送風機を備える、ことを特徴とする。  
本態様によれば、前記被記録媒体が前記粘着性表面から剥がれる部位より前記搬送方向において下流側の前記粘着性表面に風をあてて冷却する。つまり被記録媒体が剥がされた後の前記粘着性表面を冷却するものである。この位置を冷却する場合であっても、搬送方向上流側の被記録媒体が剥がれる前の粘着性表面３を、粘着性表面３を含む搬送体４の熱伝導により冷却することができるので、被記録媒体を粘着性表面から剥がしやすい状態に変えることができる。
【００１１】
本発明の第５の態様の記録装置は、第１の態様から第４の態様のいずれか一つの態様において、前記冷却部として、前記搬送体の回転移動を作るローラーのうち前記搬送方向における下流側のローラーに風をあてる送風機を備える、ことを特徴とする。  
本態様によれば、前記搬送体の回転移動を作るローラーのうち前記搬送方向における下流側のローラーに風をあてて冷却するので、当該ローラーが接触している領域の搬送体と粘着性表面を冷却して、被記録媒体が粘着性表面から剥がれやすい状態に変えることができる。
【００１２】
本発明の第６の態様の記録装置は、第１の態様から第５の態様のいずれか一つの態様において、前記搬送体を搬送するローラーのうち前記搬送方向における下流側のローラーが冷却用ローラーを兼ねている、ことを特徴とする。  
本態様によれば、前記搬送体を搬送するローラーのうち前記搬送方向における下流側のローラーが冷却用ローラーを兼ねているので、当該ローラーが接触している領域の搬送体と粘着性表面を冷却して、被記録媒体が剥がれやすい状態に変えることができる。
【００１３】
本発明の第７の態様の記録装置は、第１の態様から第６の態様のいずれか一つの態様において、前記冷却部は、冷却の程度を調整可能である、ことを特徴とする。  
本態様によれば、前記冷却部は、冷却の程度を調整可能であるので、適切な冷却を容易に実現することができる。  
例えば、被記録媒体の種類、インクの吐出量の多少、記録面積（印刷面積）、搬送体の温度等の情報に基づいて前記冷却の程度を調整するのがよい。
【００１４】
本発明の第８の態様の記録装置は、第１の態様から第７の態様のいずれか一つの態様において、前記被記録媒体を前記粘着性表面に貼り付ける部位を加熱する加熱部を備えることを特徴とする。
【００１５】
本発明の第８の態様の記録装置は、粘着性表面への被記録媒体の貼り付きは、高温ほど貼り付き強度が高く、低温ほど貼り付き強度が低い傾向がある。  
本態様によれば、加熱部によって前記被記録媒体を前記粘着性表面に貼り付ける部位を加熱するので、容易に貼り付き強度を高め、記録中の被記録媒体の姿勢を安定させることができる。  
また、貼り付ける部位以外は加熱しないので、剥がし部位の剥がしやすさを悪化することはない。即ち、被記録媒体が粘着性表面にしっかりと貼り付いているべきとき（記録中）はその状態を確保し、被記録媒体を粘着性表面から剥がすときは剥がしやすい状態に変えることができる。
【００１６】
本発明の第９の態様の記録装置は、第８の態様において、前記貼り付ける部位に設けられる貼り付け用ローラーが前記加熱部を兼ねる、ことを特徴とする。  
本態様によれば、前記貼り付ける部位に設けられる貼り付け用ローラーが前記加熱部を兼ねるので、部品点数を増やすことなく、加熱部による加熱を容易に実現することができる。
【図面の簡単な説明】
【００１７】
【図１】本発明の実施形態１に係る記録装置の一部を表す概略側面図。
【図２】本発明の実施形態２に係る記録装置の一部を表す概略側面図。
【図３】本発明の実施形態３に係る記録装置の一部を表す概略側面図。
【図４】本発明の実施形態４に係る記録装置の一部を表す概略側面図。
【発明を実施するための形態】
【００１８】
［実施形態１］（図１）
以下に、本発明の実施形態１に係る記録装置について、図１を参照して詳細に説明する。ここでは、記録装置がインクジェット記録装置である場合を説明するが、これに限定されない。
【００１９】
本実施形態１のインクジェット記録装置は、被記録媒体Ｐにインクを吐出して記録する記録ヘッド１と、前記被記録媒体Ｐを粘着性表面３に剥がし可能に貼り付けて搬送方向Ａに搬送する搬送体４と、前記被記録媒体Ｐの搬送方向Ａにおいて、記録ヘッド１より下流の前記粘着性表面３を冷却する冷却部６とを備える。  
本実施形態１では、前記冷却部６は送風機７である。そして、該送風機７は、前記被記録媒体Ｐが前記粘着性表面３から剥がれる部位５より前記搬送方向Ａにおいて上流側の前記被記録媒体Ｐに風をあてる構成である。
【００２０】
更に本実施形態１では、前記被記録媒体Ｐを前記粘着性表面３に貼り付ける部位８を加熱する加熱部９を備える。ここで、加熱部９は、前記貼り付ける部位８に設けられて被記録媒体Ｐを前記粘着性表面に押し付けて貼り付けるための貼り付け用ローラー１０が兼ねる構造である。なお、加熱部９は上記構造に限定されず、例えば赤外線ヒーター等を用いてもよい。尚、加熱部９は設けなくてもよい。  
図１において、符号１１は駆動ローラー、符号１２は従動ローラーを示し、これら駆動ローラー１１と従動ローラー１２によって前記搬送体４の回転移動が行われる。
【００２１】
次に、本実施形態１の作用を説明する。  
粘着性表面３に貼り付いた被記録媒体Ｐを剥がす際の剥がし易さは、高温ほど剥がしにくく、低温ほど剥がし易くなる。  
本実施形態１においては、冷却部６によって前記被記録媒体Ｐの搬送方向Ａにおいて、記録ヘッド１より下流の前記粘着性表面３を冷却するので、被記録媒体Ｐが粘着性表面３から剥がれすくなり、無理に剥がすと被記録媒体Ｐを傷める等の問題を生じにくくすることができる。  
また、記録ヘッド１より上流側は冷却しないので、しっかりと貼り付いた状態を維持することができる。即ち、被記録媒体Ｐが粘着性表面３にしっかりと貼り付いているべきとき（記録中）はその状態を確保し、被記録媒体Ｐを粘着性表面３から剥がすときは剥がしやすい状態に変えることができる。
【００２２】
また、前記冷却部として送風機を用いたので、搬送方向Ａにおいて、記録ヘッド１より下流の前記粘着性表面３を冷却するに際して構造簡単にして且つ効果的に冷却することができる。  
更に、前記剥がれる部位５より搬送方向Ａにおいて上流側の前記被記録媒体Ｐに風をあてて冷却するので、吐出されたインクの溶媒が蒸発することにより定着性を高めつつ、被記録媒体Ｐが張り付いている粘着性表面３を気化熱により効果的に冷却できるので、被記録媒体Ｐが粘着性表面３から剥がれやすい状態に変えることができる。
【００２３】
また本実施形態１においては、加熱部９によって前記被記録媒体Ｐを前記粘着性表面３に貼り付ける部位８を加熱するので、容易に貼り付き強度を高め、記録中の被記録媒体Ｐの姿勢を安定させることができる。  
また、貼り付ける部位８以外は加熱しないので、剥がれる部位５の剥がしやすさを悪化することはない。即ち、被記録媒体Ｐが粘着性表面３にしっかりと貼り付いているべきとき（記録中）はその状態を確保し、被記録媒体Ｐを粘着性表面３から剥がすときは剥がしやすい状態に変えることができる。  
また、前記貼り付ける部位８に設けられる貼り付け用ローラー１０が前記加熱部９を兼ねるので、部品点数を増やすことなく、加熱部９による加熱を容易に実現することができる。
【００２４】
［実施形態２］（図２）
以下に、本発明の実施形態２に係る記録装置について、図２を参照して詳細に説明する。  
本実施形態２のインクジェット記録装置は、前記冷却部６としての送風機７が、前記被記録媒体Ｐが前記粘着性表面３から剥がれる部位５より前記搬送方向Ａにおいて下流側の粘着性表面３に風をあてる構成である。言い換えると被記録媒体Ｐが剥がれた後の前記粘着性表面３に風をあてる構成である。尚、実施形態１と同じ位置に加熱部６である送風機７を更に設ける構造であってもよい。その他の構成は実施形態１と同様なので同一部分に同一符号を付してその説明は省略する。尚、加熱部９は設けなくてもよい。  
【００２５】
本実施形態２においては、前記剥がす部位５において前記被記録媒体Ｐが剥がれた後の前記粘着性表面３に風をあてて冷却している。この位置を冷却する場合であっても搬送体４の前記粘着性表面３を冷却することにより、それより上流の被記録媒体Ｐが剥がれる前の粘着性表面３を、粘着性表面３を含む搬送体４の熱伝導により冷却することができるので、以て当該剥がし部位５を剥がしやすい状態に変えることができる。この場合搬送体４は金属製ベルト等の熱伝導率の高い材料で構成されていることが望ましい。
【００２６】
［実施形態３］（図３）
以下に、本発明の実施形態３に係る記録装置について、図３を参照して詳細に説明する。  
本実施形態３のインクジェット記録装置は、前記冷却部６として送風機７が、前記搬送体４の回転移動を作るローラー１１，１２のうち前記搬送方向における下流の駆動ローラー１１に風をあてる構成である。尚、実施形態１や２と同じ位置に加熱部６である送風機７を更に設ける構造であってもよい。その他の構成は実施形態１と同様なので同一部分に同一符号を付してその説明は省略する。尚、加熱部９は設けなくてもよい。
【００２７】
本実施形態３においては、前記搬送体４の回転移動を作るローラー１１，１２のうち前記搬送方向における下流の駆動ローラー１１に風をあてて冷却するので、被記録媒体Ｐが粘着性表面３から剥がれやすい状態に変えることができる。
【００２８】
［実施形態４］（図４）
以下に、本発明の実施形態４に係る記録装置について、図４を参照して詳細に説明する。  
本実施形態４のインクジェット記録装置は、前記搬送体４の回転移動を作るローラー１１，１２のうち前記搬送方向における下流の駆動ローラー１１が冷却用ローラー１３を兼ねている。図４において、符号１４は冷却用ローラー１３の冷却状態を制御する制御部を示していて、冷却用ローラー１３に内蔵されている冷却機構（図示せず）を制御するものである。尚、実施形態１や２と同じ位置に加熱部６である送風機７を更に設ける構造であってもよい。その他の構成は実施形態１と同様なので同一部分に同一符号を付してその説明は省略する。尚、加熱部９は設けなくてもよい。  
冷却用ローラー１３に内蔵されている冷却機構はたとえば冷却用ローラー１３の内部に冷媒を循環させる機構や、ペルチェ素子等の電気熱変換素子を利用するものであってもよいし、冷却ローラー１３の表面で、搬送体４が接触していない部分であるローラー表面や、ローラーの両端側に接触してローラーと熱交換を行う冷却機構を有する構成であってもよい。
【００２９】
本実施形態４においては、前記搬送体４の回転移動を作るローラー１１，１２のうち前記搬送方向における下流側の駆動ローラー１１が冷却用ローラー１３を兼ねているので、搬送体４が駆動ローラー１１と接触している部分の粘着性表面１３が冷却されて、被記録媒体Ｐが粘着性表面３から剥がれやすい状態に変えることができる。
【００３０】
［実施形態５］
以下に、本発明の実施形態５に係る記録装置について説明する。  
本実施形態５のインクジェット記録装置は、前記冷却部６は、冷却の程度を調整可能である。例えば、被記録媒体の種類、インクの吐出量の多少、記録面積（印刷面積）、搬送体の温度等の情報に基づいて前記冷却の程度を調整するのがよい。搬送体４の温度は温度センサーで測る。この調整は前記情報に基づいて自動制御する構造でも、或いは、ユーザーが手動で調整する構造でもよい。  
本実施形態５においては、前記冷却部６は、冷却の程度を調整可能であるので、適切な冷却を容易に実現することができる。
【符号の説明】
【００３１】
１  記録ヘッド、２  インクが吐出される領域、３  粘着性表面、４  搬送体、
５  剥がれる部位、６  冷却部、７  送風機、８  貼り付ける部位、９  加熱部、
１０  貼り付け用ローラー、１１  駆動ローラー、１２  従動ローラー、
１３  冷却ローラー、１４  制御部
【図１】
2015077697.tif 000003
【図２】
2015077697.tif 000004
【図３】
2015077697.tif 000005
【図４】
2015077697.tif 000006